(57)【要約】【課題】マルチシートの敷設作業と同時に播種作業を行うことができる新規な農業用マルチシートの提供。【解決手段】土壌面を覆うように敷設される農業用マルチシート１００であって、ロール状に巻かれるシート本体１０に、少なくともその長手方向に沿ってマルチ穴２０を複数形成しておき、これら各マルチ穴２０を水溶性のシートまたはフィルム３０で塞ぐと共に、当該水溶性シートまたはフィルム３０の前記マルチ穴を塞ぐ部分に種子４０を保持した構造とする。これによって、マルチシートの敷設作業と播種作業を同時に行うことが可能となるため、作業負担および費用を大幅に軽減できる。【選択図】図１
0003167808.tif 000002
【実用新案登録請求の範囲】
【請求項１】
土壌面を覆うように敷設される農業用マルチシートであって、
ロール状に巻かれるシート本体に、少なくともその長手方向に沿ってマルチ穴を複数形成しておき、これら各マルチ穴を水溶性のシートまたはフィルムで塞ぐと共に、当該水溶性シートまたはフィルムの前記マルチ穴を塞ぐ部分に種子を保持してなることを特徴とする農業用マルチシート。
【請求項２】
請求項１に記載に農業用マルチシートにおいて、
前記水溶性のシートまたはフィルムは、前記シート本体の長手方向に連続していることを特徴とする農業用マルチシート。
【請求項３】
請求項１または２に記載に農業用マルチシートにおいて、
前記種子は、水溶性の接着剤によって前記水溶性のシートまたはフィルム上に保持されていることを特徴とする農業用マルチシート。
【請求項４】
請求項１または２に記載に農業用マルチシートにおいて、
前記水溶性のシートまたはフィルムは、少なくとも２枚以上積層してなり、前記種子は前記各シートまたはフィルム間に挟まれて保持されていることを特徴とする農業用マルチシート。
【請求項５】
請求項３に記載の農業用マルチシートにおいて、
前記水溶性の接着剤は、ポリビニルアルコールからなることを特徴とする農業用マルチシート。
【請求項６】
請求項１乃至５のいずれか１項に記載の農業用マルチシートにおいて、
前記水溶性のシートまたはフィルムは、ポリビニルアルコールからなることを特徴とする農業用マルチシート。
【考案の詳細な説明】
【技術分野】
【０００１】
本考案は、農業圃場の土壌面に直接敷設して雑草の生育防止や栽培地の保水・保温などを行うための農業用マルチシートに関するものである。
【背景技術】
【０００２】
係る農業用マルチシートは、一般にポリエチレンやポリ塩化ビニリデンなどの合成樹脂製のシート（フィルム）からなっているが、これら合成樹脂製のシートは、使用後の除去作業や処分作業が面倒であり、また野焼きなどを行うと環境を悪化させるといった問題がある。
【０００３】
そのため、最近では以下の特許文献１乃至４などに示すように、合成樹脂製のシートに代わり、生分解性のシートを用い、使用中あるいは使用後において自然にシート自体が自然分解または自然消失させるようにした新しいタイプの農業用マルチシートが多数提案されている。
【先行技術文献】
【特許文献】
【０００４】
【特許文献１】特開２００９−２０１４８９号公報
【特許文献２】特開２００７−１９５４３８号公報
【特許文献３】特開２００５−１１８０２４号公報
【特許文献４】特開２０００−４５１６４号公報
【考案の概要】
【考案が解決しようとする課題】
【０００５】
ところで、マルチシートを用いた従来農法では、汎用のマルチ敷設機械などを用いてマルチシートを畝上に直接敷設した（敷設作業）後、そのマルチシートに等間隔にマルチ穴を開けて土壌面を露出させた状態にしてから、手作業または播種機械などを用いてそのマルチ穴に所定の種を蒔くようにしている（播種作業）。
【０００６】
そのため、少なくとも２つの作業が必要となると共に、敷設作業を行う敷設機械の他に播種作業のための播種機械が必要となることから、その機械の購入費用や燃料費、人件費などが多くかかり、農家の負担が大きいといった問題がある。
【０００７】
そこで、本考案はこれらの課題を解消すべく案出されたものであり、その主たる目的は、マルチシートの敷設作業と播種作業を同時に行うことで作業負担や費用を大幅に軽減できる新規な農業用マルチシートを提供することにある。
【課題を解決するための手段】
【０００８】
前記課題を解決するために第１の考案は、土壌面を覆うように敷設される農業用マルチシートであって、ロール状に巻かれるシート本体に、少なくともその長手方向に沿ってマルチ穴を複数形成しておき、これら各マルチ穴を水溶性のシートまたはフィルムで塞ぐと共に、当該水溶性シートまたはフィルムの前記マルチ穴を塞ぐ部分に種子を保持してなることを特徴とする農業用マルチシートである。
【０００９】
このような構成によれば、従来のマルチシートの敷設作業と同様に、マルチ敷設機械などを用いてロール状に巻かれたシート本体を畝上に直接敷設した後、そのマルチ穴に水を散布するだけで、敷設作業と同時に播種作業を実施することができる。すなわち、水溶性のシートまたはフィルムで塞がれたマルチ穴に水を散布したり、雨水がかかると、その水溶性のシートまたはフィルムが溶けて保持している種子が土壌面上に落下して播種が行われる。
【００１０】
これによって、従来の２つの作業が１つの作業で済むことになるため、作業時間を大幅に短縮できると共に、作業負担や費用を大幅に軽減することができる。
【００１１】
また、第２の考案は、第１の考案において、前記水溶性のシートまたはフィルムは、前記シート本体の長手方向に連続していることを特徴とする農業用マルチシートである。
【００１２】
このような構成によれば、水溶性のシートまたはフィルムをロール状にして繰り出し、シート本体に重ね合わせながら熱蒸着などしてから巻き取れば、マルチ穴を連続して効率的に塞ぐことができる。
【００１３】
また、第３の考案は、第１または第２の考案において、前記種子は、水溶性の接着剤によって前記水溶性のシートまたはフィルム上に保持されていることを特徴とする農業用マルチシートである。
【００１４】
このような構成によれば、種子を脱落させることなく確実に水溶性のシートまたはフィルム上に保持することができる。また、水がかかればこの接着剤も水溶性のシートまたはフィルムと共に溶けて分解するため、播種および播種後の種子の発芽を阻害することもない。
【００１５】
また、第４の考案は、第１又は第２の考案において、前記水溶性のシートまたはフィルムは、少なくとも２枚以上積層してなり、前記種子は前記各シートまたはフィルム間に挟まれて保持されていることを特徴とする農業用マルチシートである。
【００１６】
このような構成によれば、水溶性のシートまたはフィルムの所定の位置に種子を容易かつ確実に保持することができる。また、水がかかればこの水溶性のシートまたはフィルムが溶けて分解するため、播種を阻害することもない。
【００１７】
また、第５の考案は、第３の考案において、前記水溶性の接着剤は、ポリビニルアルコールからなることを特徴とする農業用マルチシートである。
【００１８】
また、第６の考案は、
第１乃至第５の考案において、前記水溶性のシートまたはフィルムは、ポリビニルアルコールからなることを特徴とする農業用マルチシートである。
【００１９】
このように水溶性の接着剤および水溶性のシートまたはフィルムとして、水に可溶な合成樹脂であるポリビニルアルコールを用いれば、優れた水溶性を発揮できるため、水を散布するだけで種子の保持力がなくなり、播種作業を容易かつ確実に行うことができる。また、このポリビニルアルコールは、無害であるため、土壌成分や種子の発芽・生育などに悪影響を及ぼすことがない。
【考案の効果】
【００２０】
本考案によれば、シートの敷設作業を行うと同時に播種作業を実施することができる。これによって、従来の２つの作業が１つの作業で済むことになるため、作業時間を大幅に短縮できると共に、作業負担やコストを大幅に軽減することができる。
【図面の簡単な説明】
【００２１】
【図１】本発明に係る農業用マルチシート１００の実施の一形態を示した斜視図である。
【図２】図１中Ａ−Ａ線拡大断面図である。
【図３】本発明に係る農業用マルチシート１００の製法例を示す説明図である。
【図４】本発明に係る農業用マルチシート１００の製法例を示す説明図である。
【図５】本発明に係る農業用マルチシート１００の他の実施形態を示した拡大断面図である。
【考案を実施するための形態】
【００２２】
次に、本考案の実施の形態を添付図面を参照しながら説明する。図１は、本考案に係る農業用マルチシート１００の実施の一形態を示したものである。図示するようにこの農業用マルチシート１００は、ロール状に巻かれる長尺状のシート本体１０のほぼ中央に、その長手方向に沿って円形のマルチ穴２０が複数ほぼ等間隔で形成されている。
【００２３】
そして、図１及び図２に示すように、これら各マルチ穴２０はそのシート本体１０の長手方向に延びる水溶性のシートまたはフィルム（以下、水溶性シートと称す）３０によって塞がれていると共に、これら各マルチ穴２０の位置する水溶性シート３０上には、栽培する作物の種子４０が保持された状態となっている。
【００２４】
ここで、このシート本体１０を構成する材料は特に限定されるものでなく、従来から用いられているもの、例えば、ポリエチレンやポリ塩化ビニリデンなどの合成樹脂の他、生分解性プラスチック、木綿、合成繊維、不織布などをそのまま用いることができる。また、そのシート本体１０の色なども特に限定されるものでなく、黒色や透明なものの他、白色、白黒、銀黒、グリーン、シルバーなど、栽培する作物や環境に合わせたものを用いることができる。また、そのシート本体１０の大きさ（長さ及び幅）や膜厚なども特に限定されるものでない。
【００２５】
また、図１では、このシート本体１０のほぼ中央部にその長手方向に沿って一列に等間隔にマルチ穴２０を形成しているが、このマルチ穴２０の形成位置や数、間隔、大きさ、形状などはこれに限定されるものでなく、シート本体１０のサイズや栽培する作物の種類などに応じて適宜変えることは勿論である。
【００２６】
一方、水溶性シート３０は、乾燥した状態ではシート又はフィルム状を成してシート本体１０とほぼ同程度の強度を有し、雨水や井戸水あるいは河川水や水道水などのほぼ中性の水または温水がかかるとこれに溶解して分解し、かつ分解後においても作物の生育や品質に悪影響を及ぼさない材料から構成される。さらに、種子を保持しつつシート本体１０と接着する性質を有するものであることが必要である。
【００２７】
このような条件を満足する材料としては、ポリビニルアルコール(polyvinyl alcohol, PVA)などの水溶性プラスチックが最適である。ポリビニルアルコールは、酢酸ビニルモノマーを重合したポリ酢酸ビニルを鹸化するなどによって得られ、水溶性で強い接着力があり、優れたガスバリア性（空気を通さない）と共に、引き裂き強度、伸張度、耐摩耗性などの機械強度に優れる合成樹脂である。
【００２８】
そして、作物の種子４０は、図２に示すようにこの水溶性シート３０と同じくポリビニルアルコールなどからなる水溶性の接着剤５０によって各マルチ穴２０を塞ぐ部分の水溶性シート３０上に接着されて保持されている。
【００２９】
このような構成をした本考案に係る農業用マルチシート１００は、例えば図３に示すような製造装置２００によって製造することができる。
【００３０】
ここで、図中符号６０は水溶性シート３０を連続的に繰り出す第１の繰り出しローラー、６２はシート本体１０を連続的に繰り出す第２の繰り出しローラー、６４はこれら水溶性シート３０およびシート本体１０を巻き付ける巻き付けローラーである。そして、この繰り出しローラー６０と巻き付けローラー６４間には、その上流側から下流側に亘って播種部７０と、接着部８０と、溶着部９０とが順に配置されている。
【００３１】
播種部７０は、例えば種子が収容されたホッパー７１の出口に図示しないロータリーバルブなどを備えたものであり、第１の繰り出しローラー６０からほぼ水平に繰り出される水溶性シート３０上にホッパー７１内の種子４０をその長手方向に沿って等間隔で落下して載置するようになっている。
【００３２】
接着部８０は、この播種部７０とほぼ同様な機構により構成されており、容器８１内に収容された液状の接着剤Ｂを水溶性シート３０上に間欠的又は連続的に滴下して、その水溶性シート３０上に載置された種子をそのまま水溶性シート３０側に接着するようになっている。なお、この接着剤Ｂも前述したポリビニルアルコールなどの水溶性プラスチックによって形成されており、水溶性シート３０と同様に水がかかったときには溶けて分解するようになっている。
【００３３】
溶着部９０は、水溶性シート３０を上下から挟むように位置する一対の熱ローラ９１，９１から構成されており、第２の繰り出しローラー６２から繰り出されるシート本体１０を水溶性シート３０に合流させて重ね合わせると共に、この水溶性シート３０を加熱してシート本体１０側に熱溶着させるようになっている。
【００３４】
なお、これら第１及び第２の繰り出しローラー６０、６２、巻き付けローラー６４、播種部７０、接着部８０、溶着部９０は、図示しないコントローラによって制御されており、水溶性シート３０およびシート本体１０の送り速度や種子４０や接着剤５０の落下タイミングなどが同期するようになっている。
【００３５】
従って、この製造装置２００によれば、第１の繰り出しローラー６０から水溶性シート３０を繰り出し、その水溶性シート３０上に播種部７０から種子４０を載置した後、その種子４０上に接着部８０から接着剤５０を数滴滴下する。これによって、種子４０が水溶性シート３０上に接着されて保持される。
【００３６】
次に、この水溶性シート３０は、溶着部９０に送られて第２の繰り出しローラー６２から繰り出されるシート本体１０と重ね合わされると同時に一対の熱ローラ９１，９１によってその一部が加熱されてシート本体１０に熱溶着して一体化される。これによって、図１に示すように、シート本体１０に予め形成されたマルチ穴２０が水溶性シート３０によって塞がれると共に、そのマルチ穴２０のほぼ中心部に種子４０が確実に保持された状態となる。
【００３７】
その後、この水溶性シート３０は、シート本体１０と共に巻き付けローラー６４側に連続的に巻き付けられることによって本考案に係るロール状の農業用マルチシート１００が得られる。
【００３８】
そして、このような構成をした本考案の農業用マルチシート１００にあっては、マルチ敷設機械などを用いて圃場の畝上に直接敷設した後、そのマルチ穴２０の部分に水を散布すれば、その水分によってマルチ穴２０を塞いでいた水溶性シート３０が溶けて破れると共に種子４０を接着していた接着剤５０も同時に溶解して保持していた種子４０が土壌面に落下して土壌と直接接触することになる。
【００３９】
これによって、マルチシートの敷設作業とほぼ同時に播種作業が行われる結果となるため、従来２つの作業が１つの作業で済み、作業時間を大幅に短縮できると共に作業負担や費用を大幅に軽減することができる。なお、この水溶性シート３０および接着剤５０を構成するポリビニルアルコールは、作物や人体にとって無害であるため、土壌成分や種子の発芽・生育などに悪影響を及ぼすこともない。
【００４０】
また、前述したように水溶性シート３０および接着剤５０は、雨水や土中の水分などによっても溶解する。このため、降雨や朝方の結露などが期待できる場合などには、敷設作業後は散水作業を行うことなくそのまま放置しておくことも可能である。
【００４１】
次に、図４は本考案に係る農業用マルチシート１００の他の実施の形態を示したものである。図示するように本実施の形態は、ポリビニルアルコール製の接着剤５０に代えて種子４０を一対の水溶性シート３０で挟むようにすることでその種子４０をマルチ穴２０の部分に保持するようにしたものである。
【００４２】
図５は、本実施の形態に係る農業用マルチシート１００を製造するための製造装置２００の一例を示したものである。図示するように第１及び第２の繰り出しローラー６０、６２、巻き付けローラー６４、播種部７０、溶着部９０は、前記実施の形態と同じであるが、播種部７０と第２の繰り出しローラー６２との間に、第２の水溶性シート３１を繰り出すための第３の繰り出しローラー６６と、この第２の水溶性シート３１を重ね合わせローラー６８とを設けた点で異なる。
【００４３】
そして、この製造装置２００によれば、第１の繰り出しローラー６０から第１の水溶性シート３０を繰り出し、その第１の水溶性シート３０上に播種部７０から種子４０を落下させて載置した後、その上に、重ね合わせローラー６８によって、第３の繰り出しローラー６６から繰り出される第２の水溶性シート３１を重ね合わせる。これによって、第１の水溶性シート３０上に載置された種子４０が第２の水溶性シート３１によって覆われてその位置に保持される。
【００４４】
これら第１及び第２の水溶性シート３０、３１は、前記実施の形態と同様に溶着部９０に送られて繰り出しローラー６２から繰り出されるシート本体１０と重ね合わされると同時に一対の熱ローラ９１，９１によってその一部が加熱されてシート本体１０に熱溶着して一体化される。これによって、図４に示すように、シート本体１０に予め形成されたマルチ穴２０が第１及び第２の水溶性シート３０、３１によって塞がれると共に、そのマルチ穴２０のほぼ中心部に種子４０が保持された状態となる。
【００４５】
その後、この水溶性シート３０は、シート本体１０と共に巻き付けローラー６４側に連続的に巻き付けられることによってロール状の農業用マルチシート１００が得られる。
【００４６】
そして、このような構成をした農業用マルチシート１００の場合も、圃場の畝上に直接敷設した後、そのマルチ穴２０の部分に水を散布すれば、その水分によってマルチ穴２０を塞いでいた第１及び第２の水溶性シート３０、３１が溶けて保持していた種子４０が土壌に落下することになる。
【００４７】
これによって、前記実施の形態と同様に、従来２つの作業が１つの作業で済み、作業時間を大幅に短縮できると共に作業負担を大幅に軽減することができる。
【００４８】
なお、本実施の形態及び前記実施の形態では、第１及び第２の水溶性シート３０、３１として連続したものを用いた例で説明したが、この第１及び第２の水溶性シート３０、３１は、シート本体１０の各マルチ穴２０を塞ぐと共にその位置に種子４０を保持することを目的としているため、各マルチ穴２０を部分だけを覆う程度の大きさに分割したものであっても良い。
【符号の説明】
【００４９】
１００…農業用マルチシート
２００…マルチシート製造装置
１０…シート本体
２０…マルチ穴
３０…第１の水溶性のシートまたはフィルム
３１…第２の水溶性のシートまたはフィルム
４０…種子
５０…接着剤
６０…第１の繰り出しローラー
６２…第２の繰り出しローラー
６４…巻き付けローラー
６６…第３の繰り出しローラー
６８…重ね合わせローラー
７０…播種部
７１…ホッパー
８０…接着部
８１…容器
９０…溶着部
【図１】
0003167808.tif 000003
【図２】
0003167808.tif 000004
【図３】
0003167808.tif 000005
【図４】
0003167808.tif 000006
【図５】
0003167808.tif 000007